(57)【特許請求の範囲】
【請求項１】
車輪で移動できる引抜機本体に一対の無端ベルトを傾斜させて設け、同無端ベルトの対向したベルトを近接又は接触するようにし、前記無端ベルトを相反する方向に回転するよう駆動させてベルト同士の間に作物の茎葉部分を挟んで持ち上げて茎葉部分を引き抜く茎葉引抜機において、茎葉引抜機の動力で駆動される回転軸を左右方向に突出するように設け、マルチフィルムを巻き取る巻き取り具を前記回転軸に脱着自在に取り付け、前記茎葉引抜機の動力を用いて巻き取り具を回転させて畑に使用したマルチフィルムを巻き取り具の巻き取り部材に巻き付けて回収できるようにし、しかも車輪は動力で駆動されず回転自在とした、マルチフィルム回収機能のある茎葉引抜機。
【請求項２】
作物の茎葉部分を挟んで持ち上げる一対の傾斜させた無端ベルトの駆動軸から伝動して巻き取り具を脱着自在に取り付けた回転軸を回転させるようにし、前記無端ベルトの駆動で巻き取り具を回転させるようにした請求項１記載のマルチフィルム回収機能のある茎葉引抜機。
【請求項３】
車輪で移動できる引抜機本体に一対の無端ベルトを傾斜させて設け、同無端ベルトの対向したベルトを近接又は接触するようにし、前記無端ベルトを相反する方向に回転するよう駆動させてベルト同士の間に作物の茎葉部分を挟んで持ち上げて茎葉部分を引き抜く茎葉引抜機において、茎葉引抜機の動力で駆動される回転軸を左右方向に突出するように設け、マルチフィルムを巻き取る巻き取り具を前記回転軸に脱着自在に取り付け、前記茎葉引抜機の動力を用いて巻き取り具を回転させて畑に使用したマルチフィルムを巻き取り具の巻き取り部材に巻き付けて回収できるようにし、しかも巻き取り具が回転軸に脱着自在に取り付けられ回転する回転体と、同回転軸から半径方向に所定距離離れた位置で回転体に突出させた複数の巻き取り部材とからなり、更に回転体が管材で長円状である構造にした、マルチフィルム回収機能のある茎葉引抜機。
【請求項４】
作物の茎葉部分を挟んで持ち上げる一対の傾斜させた無端ベルトの駆動軸から伝動して巻き取り具を脱着自在に取り付けた回転軸を回転させるようにし、前記無端ベルトの駆動で巻き取り具を回転させるようにした請求項３記載のマルチフィルム回収機能のある茎葉引抜機。
【請求項５】
引抜機本体に車輪を回動させる原動装置を設け、同原動装置の出力軸から伝動して回転軸を回転させ、車輪の原動装置で巻き取り具を回転させるようにした請求項３記載のマルチフィルム回収機能のある茎葉引抜機。
【請求項６】
巻き取り具が回転軸に脱着自在に取り付けられ回転する回転体と、同回転軸から半径方向に所定距離離れた位置で回転体に突出させた複数の巻き取り部材とからなる請求項１〜２いずれかに記載のマルチフィルム回収機能のある茎葉引抜機。
【請求項７】
巻き取り部材は、マルチフィルムを巻き取ると同マルチフィルムの締め付け力によって回転軸方向に少し傾く構造・強度にし、複数の巻き取り部材が傾かないよう保持する固定具を巻き取り部材に脱着自在に取り付けた請求項６記載のマルチフィルム回収機能のある茎葉引抜機。
【請求項８】
巻き取り部材が管材で回転軸に対して１８０°対向する位置に配置する構造にした請求項６又は７に記載のマルチフィルム回収機能のある茎葉引抜機。
【請求項９】
車輪が動力で駆動されず回転自在である請求項３又は４記載のマルチフィルム回収機能のある茎葉引抜機。
【請求項１０】
巻き取り部材は、マルチフィルムを巻き取ると同マルチフィルムの締め付け力によって回転軸方向に少し傾く構造・強度にし、複数の巻き取り部材が傾かないよう保持する固定具を巻き取り部材に脱着自在に取り付けた請求項３，４，５，９いずれかに記載のマルチフィルム回収機能のある茎葉引抜機。
【請求項１１】
巻き取り部材が管材で回転軸に対して１８０°対向する位置に配置する構造にした請求項３，４，５，９，１０いずれかに記載のマルチフィルム回収機能のある茎葉引抜機。
【請求項１２】
車輪で移動できる引抜機本体に一対の無端ベルトを傾斜させて設け、同無端ベルトの対向したベルトを近接又は接触するようにし、前記無端ベルトを相反する方向に回転するよう駆動させてベルト同士の間に作物の茎葉部分を挟んで持ち上げて茎葉部分を引き抜く茎葉引抜機において、茎葉引抜機の前記無端ベルトを駆動する動力で駆動される回転軸を左右方向に突出するように設け、マルチフィルムを巻き取る巻き取り具を前記回転軸に脱着自在に取り付け、前記茎葉引抜機の動力を用いて巻き取り具を回転させて畑に使用したマルチフィルムを巻き取り具の巻き取り部材に巻き付けて回収できるようにし、更に前記無端ベルトを駆動する前記動力を操作でニュートラル可能とする走行ミッションを介して車輪に伝達して自走と停止状態でのマルチフィルムを巻き付け回収できるようにした、マルチフィルム回収機能のある茎葉引抜機。
【発明の詳細な説明】
【０００１】
【発明の属する技術分野】
本発明は、作物の保温のために畑に設置したマルチフィルムを茎葉引抜機に脱着自在に付属させる巻き取り具で巻き取って回収できるようにしたマルチフィルム回収機能のある茎葉引抜機に関する。
【０００２】
【従来の技術】
従来、野菜栽培農家においては、農作物の早期収穫出荷のために圃場の畝に極薄いマルチフィルムを敷き詰め、保温効果を高める農法がある。この栽培方法は早期収穫出荷に非常に効果がある。このマルチフィルムの収穫後の処理は畑での焼却処理が一般的であった。
しかしながら、近年畑での焼却などでの低温焼却におけるダイオキシン発生問題が広がるにつれて畑での焼却処理ができないという問題が発生してきた。
そこで、自治体によってはこの廃棄されるマルチフィルムを一括回収し、大型焼却炉による一括焼却処分にする動きが出てきた。
従って、農家は廃棄されるマルチフィルムを回収・保管する必要がある。
しかし従来、マルチフィルムの回収作業は手作業であった。畝上に敷き詰めたマルチフィルムは長く設置されているので、図１７のように手作業で端から巻き取っていくのは大変であった。また、手作業では巻き取り形状は一定とならず、回収したものを保管するのに場所を取っていた。
【０００３】
【発明が解決しようとする課題】
本発明が解決しようとする課題は従来のこれらの問題を解消し、茎葉引抜機の動力を用いてマルチフィルムを巻き取ることができ、作業が容易で速くでき、労力を軽減でき、茎葉引抜機に付属させることによりマルチフィルム回収専用機を用意する必要をなくしてコストを抑制し、巻き取ったマルチフィルムを保管しやすくするマルチフィルム回収機能のある茎葉引抜機を提供することにある。
【０００４】
【課題を解決するための手段】
かかる課題を解決した本発明の構成は、
１）  車輪で移動できる引抜機本体に一対の無端ベルトを傾斜させて設け、同無端ベルトの対向したベルトを近接又は接触するようにし、前記無端ベルトを相反する方向に回転するよう駆動させてベルト同士の間に作物の茎葉部分を挟んで持ち上げて茎葉部分を引き抜く茎葉引抜機において、茎葉引抜機の動力で駆動される回転軸を左右方向に突出するように設け、マルチフィルムを巻き取る巻き取り具を前記回転軸に脱着自在に取り付け、前記茎葉引抜機の動力を用いて巻き取り具を回転させて畑に使用したマルチフィルムを巻き取り具の巻き取り部材に巻き付けて回収できるようにし、しかも車輪は動力で駆動されず回転自在とした、マルチフィルム回収機能のある茎葉引抜機
２）  作物の茎葉部分を挟んで持ち上げる一対の傾斜させた無端ベルトの駆動軸から伝動して巻き取り具を脱着自在に取り付けた回転軸を回転させるようにし、前記無端ベルトの駆動で巻き取り具を回転させるようにした前記１）記載のマルチフィルム回収機能のある茎葉引抜機
３）  車輪で移動できる引抜機本体に一対の無端ベルトを傾斜させて設け、同無端ベルトの対向したベルトを近接又は接触するようにし、前記無端ベルトを相反する方向に回転するよう駆動させてベルト同士の間に作物の茎葉部分を挟んで持ち上げて茎葉部分を引き抜く茎葉引抜機において、茎葉引抜機の動力で駆動される回転軸を左右方向に突出するように設け、マルチフィルムを巻き取る巻き取り具を前記回転軸に脱着自在に取り付け、前記茎葉引抜機の動力を用いて巻き取り具を回転させて畑に使用したマルチフィルムを巻き取り具の巻き取り部材に巻き付けて回収できるようにし、しかも巻き取り具が回転軸に脱着自在に取り付けられ回転する回転体と、同回転軸から半径方向に所定距離離れた位置で回転体に突出させた複数の巻き取り部材とからなり、更に回転体が管材で長円状である構造にした、マルチフィルム回収機能のある茎葉引抜機
４）  作物の茎葉部分を挟んで持ち上げる一対の傾斜させた無端ベルトの駆動軸から伝動して巻き取り具を脱着自在に取り付けた回転軸を回転させるようにし、前記無端ベルトの駆動で巻き取り具を回転させるようにした前記３）記載のマルチフィルム回収機能のある茎葉引抜機
５）  引抜機本体に車輪を回動させる原動装置を設け、同原動装置の出力軸から伝動して回転軸を回転させ、車輪の原動装置で巻き取り具を回転させるようにした前記３）記載のマルチフィルム回収機能のある茎葉引抜機
６）  巻き取り具が回転軸に脱着自在に取り付けられ回転する回転体と、同回転軸から半径方向に所定距離離れた位置で回転体に突出させた複数の巻き取り部材とからなる前記１）〜２）いずれかに記載のマルチフィルム回収機能のある茎葉引抜機
７）  巻き取り部材は、マルチフィルムを巻き取ると同マルチフィルムの締め付け力によって回転軸方向に少し傾く構造・強度にし、複数の巻き取り部材が傾かないよう保持する固定具を巻き取り部材に脱着自在に取り付けた前記６）記載のマルチフィルム回収機能のある茎葉引抜機
８）  巻き取り部材が管材で回転軸に対して１８０°対向する位置に配置する構造にした前記６）又は７）に記載のマルチフィルム回収機能のある茎葉引抜機
９）  車輪が動力で駆動されず回転自在である前記３）又は４）記載のマルチフィルム回収機能のある茎葉引抜機
１０）  巻き取り部材は、マルチフィルムを巻き取ると同マルチフィルムの締め付け力によって回転軸方向に少し傾く構造・強度にし、複数の巻き取り部材が傾かないよう保持する固定具を巻き取り部材に脱着自在に取り付けた前記３），４），５），９）いずれかに記載のマルチフィルム回収機能のある茎葉引抜機
１１）  巻き取り部材が管材で回転軸に対して１８０°対向する位置に配置する構造にした前記３），４），５），９），１０）いずれかに記載のマルチフィルム回収機能のある茎葉引抜機
１２）  車輪で移動できる引抜機本体に一対の無端ベルトを傾斜させて設け、同無端ベルトの対向したベルトを近接又は接触するようにし、前記無端ベルトを相反する方向に回転するよう駆動させてベルト同士の間に作物の茎葉部分を挟んで持ち上げて茎葉部分を引き抜く茎葉引抜機において、茎葉引抜機の前記無端ベルトを駆動する動力で駆動される回転軸を左右方向に突出するように設け、マルチフィルムを巻き取る巻き取り具を前記回転軸に脱着自在に取り付け、前記茎葉引抜機の動力を用いて巻き取り具を回転させて畑に使用したマルチフィルムを巻き取り具の巻き取り部材に巻き付けて回収できるようにし、更に前記無端ベルトを駆動する前記動力を操作でニュートラル可能とする走行ミッションを介して車輪に伝達して自走と停止状態でのマルチフィルムを巻き付け回収できるようにした、マルチフィルム回収機能のある茎葉引抜機
にある。
【０００５】
【作用】
本発明では、畑に使用したマルチフィルムを回収する際に、茎葉引抜機に左右方向に突出するように設けた回転軸に巻き取り具を取り付ける。回転軸は茎葉引抜機の動力で回転するので、回転軸に取り付けた巻き取り具も回転する。この回転する巻き取り具によって畑に使用したマルチフィルムを巻き取るようにしてマルチフィルムを回収する。
無端ベルトの駆動軸から伝動して回転軸を回転させるようにしたものは、無端ベルトの駆動によって回転軸を回転させ、回転軸に取り付けた巻き取り具を回転させる。
車輪を駆動しないようにしたものは、茎葉引抜機を別の移動機械に取付けて移動させるか手動で移動させて作物の茎葉部分を引き抜く作業を行うようにする。車輪を駆動させる原動装置を設け、原動装置で巻き取り具を回転させるようにしたものは、車輪の原動装置の出力軸から伝動して回転軸を回転させ、回転軸に取り付けた巻き取り具を回転させるようにする。
巻き取り具が回転体と巻き取り部材とからなるようにしたものは、回転軸から半径方向に所定距離離れた位置の巻き取り部材にマルチフィルムの一端を取り付けて回転させて、マルチフィルムが順に次の回転方向の巻き取り部材に係合するようにして、複数の巻き取り部材の外周にマルチフィルムを巻き取って行くようにする。さらに巻き取ったマルチフィルムの側方を回転体が支持して、巻き取ったマルチフィルム片側の側方の巻きがくずれないようにする。
巻き取り部材はマルチフィルムを巻き取るとマルチフィルムの締め付け力によって回転軸方向に少し傾く構造・強度にし、複数の巻き取り部材が傾かないように保持する固定具を脱着自在に巻き取り部材に取り付けたものは、巻き取り部材でマルチフィルムを巻き取った後で複数の巻き取り部材に取り付けた固定具を巻き取り部材から取りはずす。すると、巻き取り部材はマルチフィルムの締め付け力によって回転軸方向に傾く。これによって巻き取ったマルチフィルムの内周側が巻き取り部材に締め付けた力は弱くなり、軽い力で巻き取ったマルチフィルムを巻き取り部材から引き抜くことができる。
巻き取り部材が管材で回転軸に対して１８０°対向する位置に配置する構造にしたものは、巻き取ったマルチフィルムの形状が長円状になるようにする。
回転体が管材で長円状である構造にしたものは、軽い管材で回転体を構成し、長円状に巻き取ったマルチフィルムの外周方向及び側方を回転体でカバーする。
【０００６】
【発明の実施の形態】
本発明のマルチフィルム回収機能のある茎葉引抜機は、茎葉引抜機に原動装置を設けて車輪を駆動して移動する自走式でもよいし、車輪には特別な動力源を用いず、別の移動車に連結して移動するものでもよい。
巻き取り部材は回転体の２箇所に設けてマルチフィルムを楕円状に巻き取るようにしてもよいし、回転体の３箇所に設けてマルチフィルムを三角状に巻き取るようにしてもよいし、回転体の４箇所に設けてマルチフィルムを四角状に巻き取るようにしてもよいし、さらに多くの箇所に設けて多角形状又は略円形状に巻き取るようにしてもよい。
無端ベルトの駆動軸と巻き取り具を連動させたものは、無端ベルトと巻き取り具が両方回転するようにしてもよいし、クラッチを介して連動するようにして巻き取り具のみが回転するようにしてもよい。
巻き取り部材及び回転体は、巻き取ったマルチフィルムの締め付けによって全体として弾性変形する強度，形状のものが好ましい。
【０００７】
【実施例】
本発明の各実施例について図面を参照して具体的に説明する。
実施例１（図１〜１１参照）
図１〜１１に示す実施例１は、引抜機本体に設けた無端ベルトの駆動軸と巻き取り具の回転軸を連動させ、巻き取り部材はマルチフィルムを巻き取るとマルチフィルムの締め付け力によって回転軸方向に少し傾く構造・強度にし、巻き取り部材が傾かないように支持する固定具を巻き取り部材に取り付け、巻き取り部材が管状で回転軸に対して１８０°対向する位置に配置する構造にしたマルチフィルム回収機能のある茎葉引抜機の例である。
図１は実施例１のマルチフィルム回収機能のある茎葉引抜機を使用している状態を示す説明図である。図２は実施例１のマルチフィルム回収機能のある茎葉引抜機の側面図である。図３は実施例１のマルチフィルムの回収機能のある茎葉引抜機の正面図である。図４は実施例１のマルチフィルム回収機能のある茎葉引抜機の動力伝達図である。図５は実施例１のマルチフィルム回収機能のある茎葉引抜機の説明図である。図６は実施例１のマルチフィルム回収機能のある茎葉引抜機の巻き取り具の斜視図である。図７は実施例１のマルチフィルム回収機能のある茎葉引抜機の巻き取り具の平面図である。図８は実施例１のマルチフィルム回収機能のある茎葉引抜機の巻き取り具の説明図である。図９は実施例１のマルチフィルム回収機能のある茎葉引抜機の説明図である。図１０は実施例１のマルチフィルム回収機能のある茎葉引抜機の回転軸と巻き取り具の取付軸部の取付状態を示す説明図である。図１１は実施例１のマルチフィルム回収機能のある茎葉引抜機の巻き取り具の取付管と巻き取り部材の取付状態を示す説明図である。
図中、１はマルチフィルム回収機能のある茎葉引抜機、２は巻き取り具、２ａは回転フレーム、２ｂは取付軸部、２ｃは取付管、２ｄは巻き取り部材、２ｅは固定具、２ｆは取付ピン、２ｇはピン止め金具、２ｈは取付ピン、２ｉはピン止め金具、３は引抜機本体、４はベベルギア部、４ａは回転軸、４ｂは入力側ベベルギア、４ｃは出力側ベベルギア、５は引抜搬送ベルト、６はかきこみベルト、７は車輪、８は原動装置、９はハンドル、１０は走行ミッション、１１は正転逆転ミッション、１２ａ〜１２ｐはプーリー、１３ａ〜１３ｃは駆動ベルト、１４ａ〜１４ｈはスプロケット、１５ａ，１５ｂはチェーン、１６は前輪、１７は畝押さえゲージホイール、Ａはあぜ、Ｂは畑、Ｃはマルチフィルムである。
【０００８】
実施例１のマルチフィルム回収機能のある茎葉引抜機では、車輪をエンジンで駆動して移動する歩行型の茎葉引抜機である。
まず、巻き取り具２は図６〜８に示すように長円状の回転フレーム２ａを設ける。回転フレーム２ａは管材を長円状に設け、長円の内側を十字に管材でつなぎ、十字の交差部分が長円の中心となるようにし、十字の交差部分から長円の中心軸方向に伸びた取付軸部２ｂを設ける。取付軸部２ｂも管材で設け、先端には取付ピン用の穴を管材の軸に対し直角方向に貫通させて設ける。
次に図６〜８，１１に示すように回転フレーム２ａの十字につないだ管材の中心から所定の半径方向の位置に１８０°対向するように短い長さの管材を取付管２ｃとして取付軸部２ｂが伸びている方向と反対方向に伸びるように立設する。この取付管２ｃにはピン用の穴を管材の軸に対し直角方向に貫通させてそれぞれ設ける。次に所定長さの管材の巻き取り部材２ｄを２つ設ける。巻き取り部材２ｄの外径は、取付管２ｃの内穴に所定のすきまを持って嵌入できる径にする。また巻き取り部材２ｄにはピン用の穴を管の軸に対して直角方向に貫通させてそれぞれ設ける。次に巻き取り部材２ｄを取付管２ｃに挿入し、取付用の穴を合わせて取付ピン２ｆを図１１に示すように巻き取り部材２ｄと取付管２ｃの取付用の穴を貫通させるよう挿入し、さらに取付ピン２ｆにあらかじめ設けられた穴にピン止め金具２ｇを取り付ける。これによって巻き取り部材２ｄは、回転フレーム２ａに確実に取り付けられ、さらに取付管２ｃの内穴の径と巻き取り部材２ｄの外径の差がすきまと巻き取り部材２ｄのピン用の穴と取付ピン２ｆのすきまによって、巻き取り部材２ｄは所定の小さい範囲で傾動自在となる。
次に図６〜８に示すようにコ字状で棒材の固定具２ｅを設ける。固定具２ｅはコ字状の両端が管状の巻き取り部材２ｄの先端にそれぞれ取り付けられる径、及びコ字状の寸法になるように設ける。
次に図２，３に示すようにフレーム及びカバー等からなる引抜機本体３の下部に左右の外方に伸びた車軸を左右両側に設け、車軸の両端に車輪７をそれぞれ設ける。次に引抜機本体３の上部から後方に向かって伸びるハンドル９を設ける。これにより引抜機本体３は車輪７によって地面に接しない上方に位置することになり車輪７によって移動自在に支持されることになる。次に引抜機本体３の後端部分に動力源として小型の原動装置８を設ける。
次に図２，４に示すように原動装置８の出力軸にプーリー１２ａを設け、原動装置８より前方の引抜機本体３の内部に原動装置８の出力軸と並行に軸を設け、その軸にプーリー１２ａより径の大きいプーリー１２ｂを設け、プーリー１２ａとプーリー１２ｂに駆動ベルト１３ａをかけ渡す。次にプーリー１２ｂを設けた軸にプーリー１２ｂより径の小さいプーリー１２ｃを設ける。次に入力軸に取り付けたギアに所定の種類の異なる歯数及び径のギアを切り換えてかみ合わせて回転速度及び回転トルクを切り換えて出力軸に出力する走行ミッション１０をプーリー１２ｂ，１２ｃより前方に設け、走行ミッション１０の入力軸及び出力軸がプーリー１２ｂ，１２ｃの軸を並行になるようにする。次に走行ミッション１０の入力軸に径がプーリー１２ｃより大きい所定の径のプーリー１２ｄを設け、プーリー１２ｃとプーリー１２ｄに駆動ベルト１３ｂをかけ渡す。走行ミッション１０の出力軸は左右に長く、両端が車輪に近い位置まで伸びるように設ける。この走行ミッション１０の左右の両端にそれぞれスプロケット１４ａ，１４ｃを設け、左右の車輪の車軸の内側の端部にスプロケット１４ｂ，１４ｄを設け、スプロケット１４ａとスプロケット１４ｂにチェーン１５ａをかけ渡し、スプロケット１４ｃとスプロケット１４ｄにチェーン１５ｂをかけ渡す。これによって、エンジン８の出力軸と車輪７の車軸は連動可能となる。
【０００９】
次に図２〜５に示すように引抜機本体３の前部に傾斜させて一対の引抜搬送ベルト５を設ける。まず、図４に示す引抜機本体３の前部の傾斜させた上下の位置に左右の所定の間隔で上部にプーリー１２ｋ，１２ｈ，下部にプーリー１２ｌ，１２ｉを設ける。次にプーリー１２ｋとプーリー１２ｌに引抜搬送ベルト５をかけ渡す。次にプーリー１２ｈとプーリー１２ｉにも同様に引抜搬送ベルト５をかけ渡す。左右の対向した引抜搬送ベルト５のベルト面同士は接触させる位置にする。さらに左側の引抜搬送ベルト５の対向するベルトの内側を左右のベルトの接する位置より右側に押す遊動するプーリー１２ｊを所定の間隔で３箇所に設ける。さらに、右側の引抜搬送ベルト５の対向するベルトの内側を左右のベルトの接する位置より左側に押す遊動するプーリー１２ｇを上下の位置がプーリー１２ｊの間に位置して交互に押すように３箇所に設ける。
次に図４，５に示すように引抜搬送ベルト５の下端を回転自在に支持するプーリー１２ｌ，１２ｉの上方となるそれぞれ同軸上にプーリー１２ｏ，１２ｍを設け、そのさらに外側の斜め下方にプーリー１２ｐ，１２ｎを設け、プーリー１２ｏ，１２ｐに複数のかきこみ片をベルト面に設けたかきこみベルト６をかけ渡す。次にプーリー１２ｍ，１２ｎにも同様にかきこみベルト６をかけ渡す。次に左右のかきこみベルト６の内側のベルトを内側にはるようにプーリー１２ｐ，１２ｎを設け、それぞれかきこみベルト６が３点で支持されるようにする。
引抜搬送ベルト５及びかきこみベルト６の駆動のために、まず図４に示すように走行ミッション１０より前方の引抜機本体３内に入力側のベベルギアと直交する軸の１８０°対向する両側に出力側のベベルギアを設け、２つの出力側のベベルギアを切り換えることにより正逆の回転を切換えかつ、入力に対して９０°変更した方向に出力する正逆反転ミッション１１を設ける。次にプーリー１２ｂ，１２ｃを設けた軸にプーリー１２ｅを設け、正逆反転ミッション１１の入力軸にプーリー１２ｆを設け、プーリー１２ｅ，１２ｆに駆動ベルト１３ｃをかけ渡す。次に、プーリー１２ｋの下方で同軸上にスプロケット１４ｇを設け、プーリー１２ｈの下方で同軸上にスプロケット１４ｈを設ける。次に正逆反転ミッション１１の出力軸をギア１８ａ，１８ｂを介して左右２軸に分ける。ギア１８ａ，１８ｂを介すことによって左右の２軸はそれぞれ反対方向に回転するようにする。この２つの軸の先端にスプロケット１４ｆ，１４ｅを設け、スプロケット１４ｈ，１４ｆにチェーン１５ｃをかけ渡し、スプロケット１４ｇ，１４ｅにチェーン１５ｄをかけ渡す。これによって原動装置８の回転によって引抜搬送ベルト５及びかきこみベルト６を駆動できるようにする。
【００１０】
次に右側の引抜搬送ベルト５の上端を駆動するプーリー１２ｈの軸の上端にベベルギア部４を設ける。ベベルギア部４はプーリー１２ｈの軸の先端に連結して同軸としてベベルギア部４の入力軸が回転するようにし、その入力軸の先端に入力側ベベルギア４ｂを設け、入力側ベベルギア４ｂと回転軸の方向が直交するように出力側ベベルギア４ｃを設け、出力側ベベルギア４ｃは入力側ベベルギア４ｂと係合させて回転を９０°変更して出力できるようにし、出力側ベベルギア４ｃの回転軸４ａを出力軸とする。回転軸４ａは右側方向に突出させるように設ける。また回転軸４ａには、軸方向と直角方向に貫通させたピンを取付るための取付穴を設ける。
次に図２，３に示すように畝上のマルチフィルムなどを引抜搬送ベルト５に引き込まないように畝上を押さえながら畝に接して回転する畝押さえゲージホイール１７を引抜搬送ベルト５の下方に設ける。次に引抜搬送ベルト５及びかきこみベルト６が畝に対して所定の高さとなり、かつ畝以外の堤防の移動時にかきこみベルト６の下端が地面に接地しないようにする前輪１６を設ける。
【００１１】
本実施例１のマルチフィルム回収機能のある茎葉引抜機１を茎葉引抜機として使用する場合には、巻き取り具２を取り除いた状態で使用する。原動装置８の駆動力は、走行ミッション１０を介して車輪７に伝動される。走行ミッション１０では、ギア比を切り換えることによって出力軸の回転速度，回転トルクを切り換える。これによってマルチフィルム回収機能のある茎葉引抜機１の走行速度及び走行のトルクを切り換える。また入力軸側のギアと出力軸側のギアを係合させないニュートラル状態にすることもできる。原動装置８の回転は引抜搬送ベルト５及びかきこみベルト６にも伝動される。原動装置８から回転の伝達の途中には正転逆転ミッション１１を介するようにしている。正転逆転ミッション１１は入力側のベベルギアに出力側のベベルギアを係合させない状態にできるので、この引抜搬送ベルト５及びかきこみベルト６を回転させない状態で移動させればよい。このマルチフィルム回収機能のある茎葉引抜機１を畝の上に移動させ畝の長手方向を進行方向となるよう位置させたならば、正転逆転ミッション１１を正転出力となるよう切り換える。すると、引抜搬送ベルト５及びかきこみベルト６を回転しながらマルチフィルム回収機能のある茎葉引抜機１が移動する。かきこみベルト６の回転によって、かきこみベルト６のかきこみ片が畝に栽培されている作物の茎葉部分を左右のかきこみベルト６の間にかきこみ、引抜搬送ベルト５の下端部分に徐々に左右の巾を狭くするようにして送る。引抜搬送ベルト５の下端部分に送られた作物の茎葉部分は、左右の引抜搬送ベルト５の接触させたベルト面の間に送られ、左右からベルトで挟まれて、強く保持される。さらに作物の茎葉部分を強く保持したベルト部分が斜め上方に移動することによって、作物の茎葉部分は上方に持ち上げられるようにして畝から引き抜かれる。この際には、畝上に設けられたマルチフィルムＣを畝押さえゲージホイール１７で押さえているので、作物の茎葉部分といっしょにマルチフィルムＣを引き上げて引抜搬送ベルト５にマルチフィルムＣがからまってしまうようなことがないようにしている。このようにして作物の茎葉部分を引き抜くことによって特に根菜類の収穫においては、収穫後、茎葉部分を取り除く作業を省くことができるので、作業の効率化ができ、労力を軽減できる。
また、引抜搬送ベルト５の対向するベルトの間に石などが挟まってしまった場合には、正転逆転ミッション１１の入力ベベルギアに係合させるベベルギアを切り換えて逆転側に切り換えて引抜搬送ベルト５の回転方向を逆にして対向するベルトの間に挟まった石を排出するようにしてもよい。
【００１２】
このようにしてマルチフィルム回収機能のある茎葉引抜機１によって作物の茎葉部分を取り除いたならば、次に掘取機で地中の作物を掘り取って収穫を行う。作物の収穫作業が終了したならば、マルチフィルム回収機能のある茎葉引抜機１を畝の端の近くに移動させ、原動装置８を停止させる。あらかじめ巻き取り具２の２つの巻き取り部材２ｄにはコ字状の固定具２ｅをコ字状の両端を管状の巻き取り部材２ｄの先端内周に挿入するようにして取り付けておく。図３に示すようにこの巻き取り具２の回転フレーム２ａの取付軸部２ｂの先端をプーリー１２ｈの上部に設けたベベルギア部４の回転軸４ａに取り付ける。取付軸部２ｂは管状になっているので、取付軸部２ｂの内穴に回転軸４ａを挿入するようにして取り付ける。さらに取り付ける際には、図１０に示すように取付軸部に設けた取付穴と回転軸４ａに設けた取付穴の位置を合わせるようにし、合わせた取付穴に取付ピン２ｈを貫通させ、突出した取付ピン２ｈの先端にピン止め金具２ｉを取り付けて巻き取り具２が回転軸４ａから抜けてはずれないようにし、かつ巻き取り具２が回転軸４ａと一体となって回転するよう係合するようにする。
このように回転軸４ａに巻き取り具２を取り付けたならば、図１に示すように畝に使用したマルチフィルムの一端を巻き取り具２の２つの巻き取り部材２ｄのどちらかに巻くか結んで取り付ける。この際に、マルチフィルム回収機能のある茎葉引抜機１は、前方が畝に近い方向を向くようにする。巻き取り部材２ｄにマルチフィルムＣの一端を取り付けたならば、走行ミッション１０はニュートラル状態にしてマルチフィルム回収機能のある茎葉引抜機１が移動しないようにして、正転逆転ミッション１１を正転側に切り換えて引抜搬送ベルト５とかきこみベルト６を回転させる。畝以外の場所では、前輪１６によってかきこみベルト６と引抜搬送ベルト５は地面に接しない浮いた状態になって空回りする。空回りする引抜搬送ベルト５のプーリー１２ｈの軸には、ベベルギア部４が設けられているので、回転をベベルギア部４に伝え、ベベルギア部４によって回転を９０°変更した回転軸４ａに伝える。回転軸４ａが回転することによって回転軸４ａに取り付けた巻き取り具２が回転する。巻き取り具２が回転するとマルチフィルムＣを取り付けた巻き取り部材２ｄが回転して後方に移動することによってマルチフィルムＣが引っ張られる。さらにマルチフィルムＣを取り付けた巻き取り部材２ｄが後側下方まで回転するともう一方の巻き取り部材２ｄがマルチフィルムＣを下方から持ち上げ、さらにマルチフィルムＣは徐々に引っ張られる。このようにして徐々にマルチフィルムＣを引っ張りながら２つの巻き取り部材２ｄの外側にマルチフィルムＣを巻き取って行く。これによりマルチフィルムＣは長円状に巻き取られて行く。
【００１３】
このようにして一本の畝で使用されたマルチフィルムＣを巻き取ったならば、原動装置８を停止させる。次に図９（ａ）に示すように巻き取り具２の巻き取り部材２ｄに取り付けた固定具２ｅを引っ張るようにして取りはずす。固定具２ｅを取りはずすことによって、巻き取り部材２ｄ同士の先端の間の距離を一定に支持していた部材が取り除かれることになる。巻き取り部材２ｄには、巻き取ったマルチフィルムＣによって締め付ける力がかかっているので、固定具２ｅを取りはずすことにより、マルチフィルムＣの締め付け力によって巻き取り部材２ｄと取付管２ｃの隙間及び巻き取り部材２ｄのピン取付穴と取付ピン２ｆの隙間の分巻き取り部材２ｄが内側に傾く。これによってマルチフィルムＣと巻き取り部材２ｄは係合している力が少なくなる。この状態で図９（ｂ）に示すように巻き取ったマルチフィルムＣを巻き取り部材２ｄから引き抜く。マルチフィルムＣは巻き取り部材２ｄと係合する力が弱くなっているので軽い力で引き抜くことができる。このようにして巻き取り具２から取りはずしたマルチフィルムＣは、内周側にスキマのない長円状になり非常にコンパクトな状態となる。よって回収したマルチフィルムＣを廃棄するまで保管する場合にも場所を取らない。
このように実施例１のマルチフィルム回収機能のある茎葉引抜機１は別の装置を設けることなく茎葉引抜機に巻き取り具を取り付けることによりマルチフィルムＣを回収できるようにしているのでコストを抑制でき、エンジンによる引抜搬送ベルトの駆動を用いて巻き取り具を回転させて巻き取って労力を軽減させ、手で巻き取るより作業を非常に効率的に行うことができる。
【００１４】
実施例２（図１２〜１４参照）
図１２〜１４に示す実施例２は、車輪を回動させる原動装置の出力軸から伝動して回転軸を回転させ、車輪の原動装置で巻き取り具を回転させるようにしたマルチフィルム回収機能のある茎葉引抜機の例である。
図１２は実施例２のマルチフィルムの回収機能のある茎葉引抜機の側面図である。図１３は実施例２のマルチフィルムの回収機能のある茎葉引抜機の正面図である図１４は、実施例２のマルチフィルムの回収機能のある茎葉引抜機の動力伝達図である。
図中、２０ａ，２０ｂはプーリー、２１は駆動ベルト、２２は回転軸である。実施例２では図１４に示すように原動装置の駆動を伝達するプーリー１２ｂ，１２ｃ，１２ｅを取り付けた軸にプーリー２０ａを設け、引抜機本体３の上部側方にプーリー２０ｂを設け、プーリー２０ａ，２０ｂに駆動ベルト２１をかけ渡し、プーリー２０ｂの回転軸２２を側方に突出させて、回転軸２２に巻き取り具２を取り付けるようにしている。このように、巻き取り具２を回転させるための駆動の伝達はどのようなものでもかまわない。
その他符号、構成、作用、使い方は実施例１と同じである。
【００１５】
図１５，１６に示すのはマルチフィルム回収機能のある茎葉引抜機の巻き取り具の他の例である。このようにマルチフィルムを巻き取る形状は、三角、四角、多角形、又は円形でもよい。
【００１６】
【発明の効果】
本発明によれば、茎葉引抜機の動力を用いてマルチフィルムを巻き取ることができ、作業が容易で速くでき、労力を軽減でき、茎葉引抜機に付属させるようにして機械を増やさないようにしてコストを抑制し、巻き取ったマルチフィルムを保管しやすくできる。
無端ベルトの駆動軸から伝動して回転軸を回転させるようにしたものは、無端ベルトの駆動軸の回転で巻き取り具を回転させるようにしてさらにコストを抑制する。
車輪を駆動しないようにしたものは、他の移動車に取り付けて移動するか手動で移動させる茎葉引抜機として用いることができる。
車輪を駆動させる原動装置を設け、原動装置で巻き取り具を回転させるようにしたものは、車輪の原動装置が車輪と巻き取り具を駆動するようにしてさらにコストを抑制する。
巻き取り具が回転体と巻き取り部材とからなるようにしたものは、効率的にマルチフィルムを巻き取って行くことができる。
巻き取り部材は、マルチフィルムを巻き取るとマルチフィルムの締め付け力によって回転軸方向に少し傾く構造・強度にし、複数の巻き取り部材が傾かないように保持する固定具を脱着自在に巻き取り部材に取り付けたものは、巻き取ったマルチフィルムを巻き取り具からはずす作業を容易にし、さらに労力を軽減できる。
巻き取り部材が管材で回転軸に対して１８０°対向する位置に配置する構造にしたものは、回収したマルチフィルムが内側にすきまのない長円状になるようにしてさらにコンパクトで保管場所を取らないようにする。
回転体が管材で長円状である構造にしたものは、マルチフィルムを整った巻きの状態にすることができる。
【図面の簡単な説明】
【図１】実施例１のマルチフィルム回収機能のある茎葉引抜機を使用している状態を示す説明図である。
【図２】実施例１のマルチフィルム回収機能のある茎葉引抜機の側面図である。
【図３】実施例１のマルチフィルム回収機能のある茎葉引抜機の正面図である。
【図４】実施例１のマルチフィルム回収機能のある茎葉引抜機の動力伝達図である。
【図５】実施例１のマルチフィルム回収機能のある茎葉引抜機の説明図である。
【図６】実施例１のマルチフィルム回収機能のある茎葉引抜機の巻き取り具の斜視図である。
【図７】実施例１のマルチフィルム回収機能のある茎葉引抜機の巻き取り具の平面図である。
【図８】実施例１のマルチフィルム回収機能のある茎葉引抜機の巻き取り具の説明図である。
【図９】実施例１のマルチフィルム回収機能のある茎葉引抜機の説明図である。
【図１０】実施例１のマルチフィルム回収機能のある茎葉引抜機の回転軸と巻き取り具の取付軸部の取付状態を示す説明図である。
【図１１】実施例１のマルチフィルム回収機能のある茎葉引抜機の巻き取り具の取付管と巻き取り部材の取付状態を示す説明図である。
【図１２】実施例２のマルチフィルム回収機能のある茎葉引抜機の側面図である。
【図１３】実施例２のマルチフィルム回収機能のある茎葉引抜機の正面図である。
【図１４】実施例２のマルチフィルム回収機能のある茎葉引抜機の動力伝達図である。
【図１５】実施例のマルチフィルム回収機能のある茎葉引抜機の巻き取り具の説明図である。
【図１６】実施例のマルチフィルム回収機能のある茎葉引抜機の巻き取り具の説明図である。
【図１７】従来のマルチフィルム回収方法を示す説明図である。
【符号の説明】
１  マルチフィルム回収機能のある茎葉引抜機
２  巻き取り具
２ａ  回転フレーム
２ｂ  取付軸部
２ｃ  取付管
２ｄ  巻き取り部材
２ｅ  固定具
２ｆ  取付ピン
２ｇ  ピン止め金具
２ｈ  取付ピン
２ｉ  ピン止め金具
３  引抜機本体
４  ベベルギア部
４ａ  回転軸
４ｂ  入力側ベベルギア
４ｃ  出力側ベベルギア
５  引抜搬送ベルト
６  かきこみベルト
７  車輪
８  原動装置
９  ハンドル
１０  走行ミッション
１１  正転逆転ミッション
１２ａ〜１２ｐ  プーリー
１３ａ〜１３ｃ  駆動ベルト
１４ａ〜１４ｈ  スプロケット
１５ａ〜１５ｄ  チェーン
１６  前輪
１７  畝押さえゲージホイール
１８ａ  ギア
１８ｂ  ギア
１９  欠番
２０ａ  プーリー
２０ｂ  プーリー
２１  駆動ベルト
２２  回転軸
２３  欠番
２４  欠番
２５  巻き取り具
２５ａ  回転フレーム
２５ｂ  巻き取り部材
２５ｃ  固定具
２６  欠番
２７  巻き取り具
２７ａ  回転フレーム
２７ｂ  巻き取り部材
２７ｃ  固定具
Ａ  あぜ
Ｂ  畑
Ｃ  マルチフィルム
Ｄ  人
【図１】
0004248702.tif 000002
【図２】
0004248702.tif 000003
【図３】
0004248702.tif 000004
【図４】
0004248702.tif 000005
【図５】
0004248702.tif 000006
【図６】
0004248702.tif 000007
【図７】
0004248702.tif 000008
【図８】
0004248702.tif 000009
【図９】
0004248702.tif 000010
【図１０】
0004248702.tif 000011
【図１１】
0004248702.tif 000012
【図１２】
0004248702.tif 000013
【図１３】
0004248702.tif 000014
【図１４】
0004248702.tif 000015
【図１５】
0004248702.tif 000016
【図１６】
0004248702.tif 000017
【図１７】
0004248702.tif 000018